(57)【要約】入力装置を介して指定されたチャンネル番号と、それに対応するコンテンツ識別子の情報を保持するコンテンツ識別子変換テーブルと、コンテンツ識別子変換テーブルを参照し、指定されたチャンネル番号を対応するコンテンツ識別子に変換するチャンネル選択制御部と、変換されたコンテンツ識別子を受信し、そのコンテンツ識別子がテレビ放送のチャンネルの場合にはテレビ放送受信部に指示して該当チャンネルの番組を受信させ、そのコンテンツ識別子が通信ネットワーク上のコンテンツの識別子の場合には、コンテンツ取得部に指示して該当するコンテンツを取得させ、取得したテレビ番組またはネットワーク上のコンテンツを出力装置に出力する表示制御部を備える。【特許請求の範囲】
【請求項１】
テレビ放送を受信するテレビ放送受信部と、通信インタフェースを介して通信ネットワークと接続し、上記通信ネットワーク上のコンテンツを取得するコンテンツ取得部を備えた受信装置において、
入力装置を介して指定されたチャンネル番号と、それに対応するコンテンツ識別子の情報を保持するコンテンツ識別子変換テーブルと、
上記コンテンツ識別子変換テーブルを参照し、指定されたチャンネル番号を対応するコンテンツ識別子に変換するチャンネル選択制御部と、
上記変換されたコンテンツ識別子を受信し、そのコンテンツ識別子がテレビ放送のチャンネルの場合には上記テレビ放送受信部に指示して該当チャンネルの番組を受信させ、そのコンテンツ識別子が通信ネットワーク上のコンテンツの識別子の場合には、上記コンテンツ取得部に指示して該当するコンテンツを取得させ、取得したテレビ番組またはネットワーク上のコンテンツを出力装置に出力する表示制御部を備えたことを特徴とする受信装置。
【請求項２】
コンテンツ取得部としてブラウザを備え、
表示制御部は、コンテンツ識別子がＵＲＬである場合には、ブラウザに指示して、上記ＵＲＬに基づいてコンテンツを取得させることを特徴とする請求の範囲第１項記載の受信装置。
【請求項３】
電話機能を有する電話部を備え、
表示制御部は、コンテンツ識別子が電話番号である場合には、上記電話部に指示して、上記電話番号で指定される相手先に接続させる電話部を備えたことを特徴とする請求の範囲第１項記載の受信装置。
【請求項４】
入力されたコンテンツ識別子設定依頼に基づいて、コンテンツ識別子変換テーブルの内容を更新するコンテンツ識別子登録部を備えたことを特徴とする請求の範囲第１項記載の受信装置。
【請求項５】
コンテンツ識別子登録部は、Ｗｅｂクライアントから送信されたコンテンツ識別子設定依頼を受信し、それに基づいてコンテンツ識別子変換テーブルの内容を更新するＷｅｂサーバを備えたことを特徴とする請求の範囲第４項記載の受信装置。
【請求項６】
コンテンツ識別子登録部は、コンテンツ識別子設定依頼が記述された電子メールを受信し、その内容に基づいてコンテンツ識別子変換テーブルの内容を更新する電子メールクライアントを備えたことを特徴とする請求の範囲第４項記載の受信装置。
【発明の詳細な説明】
【技術分野】  この発明は、テレビ放送やネットワーク上のコンテンツを受信する受信装置に関するものである。
【背景技術】  インターネットテレビのように、テレビ放送以外のコンテンツを取得して表示する機能を持つテレビが普及している。このようなテレビを視聴するユーザは、インターネット上のＷｅｂコンテンツにアクセスする場合、テレビ視聴時とは全く異なるユーザインタフェースを操作して所望のコンテンツにアクセスする必要がある。
一般的な方法としては、ユーザがテレビのメニュー画面やリモコンのボタンを利用してＷｅｂブラウザを起動し、その後、キーボード等を用いてＵＲＬ（Ｕｎｉｆｏｒｍ  Ｒｅｓｏｕｒｃｅ  Ｌｏｃａｔｏｒ）を入力し、所望のコンテンツにアクセスするというものがある。
ただし、この方法でＵＲＬを入力する場合、パソコンによるＷｅｂブラウジングに不慣れなユーザにとっては、操作が不便であるという問題があった。
このような問題を解決するため、例えば、特開２００３−２０８３６９号公報には、ＵＲＬを直接入力する代わりに、専用メニューを用いて、あらかじめ登録されているＵＲＬの中からＵＲＬを選択することにより、所望のコンテンツにアクセスする方法が提案されている。
しかし、上記の特許文献に開示された方法では、ユーザがキーボード等を用いてＵＲＬを直接入力する必要はないものの、リモコンで直接チャンネルを指定するテレビ視聴とは全く異なる専用メニューを用いるため、全てのユーザにとって十分に使いやすいインタフェースではなかった。また、あらかじめ登録されたＵＲＬにアクセスが限定されるという問題もあった。
この発明は上記のような課題を解決するためになされたもので、テレビの視聴と同じ操作で他のコンテンツの視聴も可能な受信装置を得ることを目的とする。
【発明の開示】
この発明に係る受信装置は、テレビ放送を受信すると共に、通信インタフェースを介して通信ネットワークと接続し、通信ネットワーク上のコンテンツを取得する受信装置であって、入力装置を介して指定されたチャンネル番号と、それに対応するコンテンツ識別子の情報を保持するコンテンツ識別子変換テーブルと、コンテンツ識別子変換テーブルを参照し、指定されたチャンネル番号を対応するコンテンツ識別子に変換するチャンネル選択制御部と、変換されたコンテンツ識別子を受信し、そのコンテンツ識別子がテレビ放送のチャンネルの場合にはテレビ放送受信部に指示して該当チャンネルの番組を受信させ、そのコンテンツ識別子が通信ネットワーク上のコンテンツの識別子の場合には、コンテンツ取得部に指示して該当するコンテンツを取得させ、取得したテレビ番組またはネットワーク上のコンテンツを出力装置に出力する表示制御部を備えたものである。
このことによって、テレビの視聴と同じ操作で他のコンテンツの視聴も可能な受信装置が得られるという効果がある。
【図面の簡単な説明】  第１図は、この発明の実施の形態１による、放送受信機の構成と、放送受信機を用いるシステ厶の構成を示すブロック図である。
第２図は、この発明の実施の形態１による、コンテンツ識別子変換テーブルの例を示す図である。
第３図は、この発明の実施の形態１による、コンテンツ識別子登録部の内部構成と、関連する処理部との関係を示すブロック図である。
第４図は、この発明の実施の形態１による、コンテンツ識別子設定メニュー画面の例を示す図である。
第５図は、この発明の実施の形態１による、コンテンツ識別子入力メニュー画面の例を示す図である。
第６図は、この発明の実施の形態２による、コンテンツ識別子登録部の内部構成と、関連する処理部との関係を示すブロック図である。
第７図は、この発明の実施の形態２による、コンテンツ識別子設定用メールの例を示す図である。
第８図は、この発明の実施の形態３による、放送受信機の構成と、放送受信機を用いるシステムの構成を示すブロック図である。
第９図は、この発明の実施の形態３による、コンテンツ識別子変換テーブルの例を示す図である。
【発明を実施するための最良の形態】  以下、この発明をより詳細に説明するために、この発明を実施するための最良の形態について、添付の図面にしたがって説明する。
実施の形態１．
第１図は、この発明の実施の形態１による放送受信機（受信装置）１００の構成と、放送受信機１００を用いるシステムの構成を示すブロック図である。
図に示すように、放送受信機１００は、放送波受信用のアンテナ１０２、放送受信部１０３、入力装置１０４、ユーザインタフェース部１０５、チャンネル選択制御部１０６、表示制御部１０７、ブラウザ（コンテンツ取得部）１０８、通信インタフェース部１０９、メモリカードインタフェース部１１０、メモリカード１１１、出力装置１１２、コンテンツ識別子登録部１１３、コンテンツ識別子変換情報記憶部１１４を備えている。
放送受信部１０３、ユーザインタフェース部１０５、チャンネル選択制御部１０６、表示制御部１０７、ブラウザ１０８、通信インタフェース部１０９、メモリカードインタフェース部１１０、コンテンツ識別子登録部１１３は、放送受信機１００のプロセッサの一部を構成するものであり、当該プロセッサを動作させるプログラムモジュールに従って便宜的に分割したものである。
入力装置１０４は、リモコン、キーボード等の入力装置である。
メモリカード１１１は、脱着可能なフラッシュメモリカード等のメモリカードである。
出力装置１１２は、ディスプレイ等の表示装置とスピーカ等の音声出力装置を備えている。
コンテンツ識別子変換情報記憶部１１４は、放送受信機１００のメモリやハードディスク等の記憶装置である。あるいは、放送受信機１００と通信線で接続された外部の記憶装置であってもよい。
放送受信機１００は、インターネット５００を介して、Ｗｅｂサーバ５０１、パソコン等のＷｅｂクライアント５０２に接続される。
次に動作について説明する。
まず、通常のテレビ放送視聴時の動作について説明する。
ユーザが入力装置１０４を用いてチャンネル番号を入力すると、ユーザインタフェース部１０５にチャンネル指定信号が供給され、ユーザインタフェース部１０５は指定されたチャンネルの情報をチャンネル選択制御部１０６へ通知する。例えば、ここではユーザが入力装置１０４を用いてチャンネル３を指定したとすると、ユーザインタフェース部１０５からチャンネル選択制御部１０６へチャンネル３が指定された旨が通知される。
チャンネル選択制御部１０６は、コンテンツ識別子変換情報記憶部１１４に格納されたコンテンツ識別子変換テーブルを参照し、通知されたチャンネル情報を対応するコンテンツの識別子に変換する。
第２図は、実施の形態１による、コンテンツ識別子変換テーブルの例を示す図である。
ここでは、チャンネル選択制御部１０６にチャンネル３が通知されると、それに対応する地上波／３ｃｈというコンテンツ識別子に変換される。これはテレビの地上波３チャンネルを意味する。変換されたコンテンツ識別子は、表示制御部１０７へ通知される。
表示制御部１０７は、受信したコンテンツ識別子に基づいて、対象コンテンツの所在や獲得方法を判断する。この場合、地上波／３ｃｈというコンテンツ識別子が通知されるため、地上波テレビ放送の３チャンネルを受信すればよいと判断し、放送受信部１０３に対し、地上波の３チャンネルを受信するように指示を出す。
放送受信部１０３は、表示制御部１０７の指示に従って地上波３チャンネルのテレビ番組を受信し、受信した番組を出力装置１１２で表示可能なフォーマットに復号化して表示制御部１０７に供給する。
表示制御部１０７は、放送受信部１０３を介して受信した地上波３チャンネルのテレビ番組のコンテンツ、すなわち映像および音声データを出力装置１１２へ送信する。
出力装置１１２は、受信した映像、音声データをそれぞれディスプレイ、スピーカに出力する。これによりユーザは地上波３チャンネルのテレビ番組を視聴することができる。
次に、インターネット上のコンテンツを閲覧する場合の動作について説明する。
ユーザが入力装置１０４を用いてテレビ視聴時と同様の操作によりチャンネル７０を指定した場合を例に取り説明する。ユーザインタフェース部１０５はチャンネル選択制御部１０６にチャンネル７０が指定された旨を通知する。
チャンネル選択制御部１０６は、第２図に示すコンテンツ識別子変換テーブルを参照し、通知されたチャンネル７０を対応する「ｈｔｔｐ：／／ｗｗｗ．ｍｙＡｌｂｕｍ．ｃｏｍ／ｉｎｄｅｘ．ｈｔｍｌ」というコンテンツ識別子（ＵＲＬ）に変換し、表示制御部１０７へ通知する。
表示制御部１０７は、受信したコンテンツ識別子に基づいて、対象コンテンツの所在や獲得方法を判断する。この場合、ｈｔｔｐ：／／ｗｗｗ．ｍｙＡｌｂｕｍ．ｃｏｍ／ｉｎｄｅｘ．ｈｔｍｌというＵＲＬが通知されるため、ブラウザ１０８に対し、当該ＵＲＬで示されるＷｅｂページのコンテンツを取得するように指示を出す。
ブラウザ１０８は、インターネット上のＷｅｂコンテンツや家庭内ネットワークあるいはメモリカード１１１上にあるコンテンツを閲覧するためのブラウザである。
ブラウザ１０８は、通知されたＵＲＬの記述から「ｗｗｗ．ｍｙＡｌｂｕｍ．ｃｏｍ」で示されるＷｅｂサーバのＩＰアドレスを取得する。ＩＰアドレスの取得は、例えばインターネット５００上のＤＮＳ（Ｄｏｍａｉｎ  Ｎａｍｅ  Ｓｙｓｔｅｍ）を利用して行う。
ここでは、当該Ｗｅｂサーバは、Ｗｅｂサーバ５０１であるとする。ブラウザ１０８は、Ｗｅｂサーバ５０１のＩＰアドレスを取得すると、通信インタフェース部１０９を介してＷｅｂサーバ５０１にアクセスし、ｈｔｔｐプロトコルによりファイルｉｎｄｅｘ．ｈｔｍｌを取得する。
ブラウザ１０８は、取得したファイルｉｎｄｅｘ．ｈｔｍｌを出力装置１１２で表示可能なフォーマットに変換し、表示制御部１０７に供給する。
表示制御部１０７は、ブラウザ１０８から受信したデータを出力装置１１２へ送信する。出力装置１１２は受信した映像、音声データをそれぞれディスプレイ、スピーカに出力する。
このように、ユーザはテレビ番組の視聴時と同じ操作でＷｅｂページを閲覧することができる。
ここでは、Ｗｅｂサーバ５０１がインターネット５００に接続されている場合を例に取り説明したが、Ｗｅｂサーバ５０１は、放送受信機１００自身の内部に存在するものであってもよいし、家庭内ネットワークやイントラネット上に存在するものであってもよい。
次に、放送受信機１００に設置されたメモリカード１１１に記憶されているファイルを閲覧する場合の動作について説明する。
ユーザが入力装置１０４を用いてテレビ視聴時と同様の操作によりチャンネル７１を選択した場合を例に取り説明する。ユーザインタフェース部１０５はチャンネル選択制御部１０６にチャンネル７１が指定された旨を通知する。
チャンネル選択制御部１０６は、第２図に示すコンテンツ識別子変換テーブルを参照し、通知されたチャンネル７１を対応する「ｍｅｍｏｒｙＣａｒｄ：／ｉｎｄｅｘ．ｈｔｍｌ」というコンテンツ識別子に変換し、表示制御部１０７へ通知する。
表示制御部１０７は、受信したコンテンツ識別子に基づいて、対象コンテンツの所在や獲得方法を判断する。この場合、ブラウザ１０８に対し、ｍｅｍｏｒｙＣａｒｄ：／ｉｎｄｅｘ．ｈｔｍｌというコンテンツ識別子で示されるコンテンツを取得するように指示を出す。
ブラウザ１０８は、通知されたコンテンツ識別子から、当該ファイルがメモリカード１１１に保持されたファイルであることを認識し、メモリカードインタフェース部１１０を介してメモリカード１１１にアクセスし、ファイル「ｉｎｄｅｘ．ｈｔｍｌ」を取得する。
ブラウザ１０８は、取得したファイルｉｎｄｅｘ．ｈｔｍｌを出力装置１１２で表示可能なフォーマットに変換し、表示制御部１０７に供給する。
表示制御部１０７は、ブラウザ１０８から受信したデータを出力装置１１２へ送信する。出力装置１１２は受信した映像、音声データをそれぞれディスプレイ、スピーカに出力する。
このように、ユーザはテレビ番組の視聴時と同じ操作でメモリカード１１１に格納されたファイルを閲覧することができる。
次に、コンテンツ識別子変換テーブルに、新たなコンテンツ識別子を登録する際の動作について説明する。
第３図は、コンテンツ識別子登録部１１３の内部構成と、関連する処理部との関係を示すブロック図である。なお、コンテンツ識別子登録部１１３と直接関連のない処理部については省略してある。
図に示すように、コンテンツ識別子登録部１１３は、設定用Ｗｅｂサーバ（Ｗｅｂサーバ）１１５、コンテンツ識別子変換テーブル更新部１１６を備えている。設定用Ｗｅｂサーバ１１５は、外部のＷｅｂクライアント５０２との通信を行うためのサーバである。コンテンツ識別子変換テーブル更新部１１６は、外部のＷｅｂクライアント５０２からの要求に応じてコンテンツ識別子変換情報記憶部１１４との間でデータの入出力を行う用ＣＧＩ（Ｃｏｍｍｏｎ  Ｇａｔｅｗａｙ  Ｉｎｔｅｒｆａｃｅ）プログラムによって動作する。
ユーザが新たなコンテンツ識別子を登録する場合の動作について説明する。
ここでは、ユーザがインターネット５００に接続されたＷｅｂクライアント５０２を使用して登録を行う場合を例に取り説明する。ユーザは、Ｗｅｂクライアント５０２から、通信インタフェース部１０９を介して設定用Ｗｅｂサーバ１１５にアクセスする。
設定用Ｗｅｂサーバ１１５は、コンテンツ識別子変換テーブル更新部１１６を起動し、コンテンツ識別子変換テーブル更新部１１６を介して、コンテンツ識別子変換情報記憶部１１４から現在のコンテンツ識別子変換テーブルの設定情報を取得する。設定用Ｗｅｂサーバ１１５は、取得した設定情報を通信インタフェース部１０９を介してＷｅｂクライアント５０２に送信する。Ｗｅｂクライアント５０２の画面上には、コンテンツ識別子設定メニュー画面が表示される。
第４図は、実施の形態１による、コンテンツ識別子設定メニュー画面の例を示す図である。ユーザは、メニュー画面を閲覧することにより現在の設定を確認し、自分で新たに設定または変更したいチャンネルの編集ボタンをクリックする。編集ボタンがクリックされると、コンテンツ識別子入力メニュー画面に遷移する。ここでは、ユーザがコンテンツ識別子設定メニュー画面において、チャンネル７０の欄の編集ボタンをクリックしたとする。この場合には、第５図に例示したようなコンテンツ識別子入力メニュー画面が表示される。
ユーザは、チャンネル７０に登録したいコンテンツ識別子を入力する。ここでは、「ｈｔｔｐ：／／ｗｗｗ．ｍｙＡｌｂｕｍ．ｃｏｍ／ｉｎｄｅｘ．ｈｔｍｌ」を入力している。入力後、ユーザが設定ボタンをクリックすることにより、入力した「ｈｔｔｐ：／／ｗｗｗ．ｍｙＡｌｂｕｍ．ｃｏｍ／ｉｎｄｅｘ．ｈｔｍｌ」がチャンネル７０のコンテンツ識別子として登録されるようにＷｅｂクライアント５０２から設定用Ｗｅｂサーバ１１５に設定情報が送信される。
設定用Ｗｅｂサーバ１１５は、Ｗｅｂクライアント５０２からコンテンツ識別子の設定情報を受信すると、コンテンツ識別子変換テーブル更新部１１６を起動し、受信したコンテンツ識別子設定情報を供給する。コンテンツ識別子変換テーブル更新部１１６は、供給されたコンテンツ識別子設定情報を基に、コンテンツ識別子変換テーブルを更新する。
このように、ユーザは、任意のテレビ放送チャネルやインターネット上のＷｅｂコンテンツ等を登録することにより、テレビ視聴と同じ操作で所望のコンテンツの視聴をすることができる。
以上のように、実施の形態１によれば、チャンネル選択制御部１０６が、コンテンツ識別子変換テーブルを参照することにより、ユーザが入力したチャネルに対応するコンテンツ識別子を取得し、コンテンツ識別子の種類によって、放送受信部１０３あるいはブラウザ１０８に所望のコンテンツを取得するよう指示するようにしたので、ユーザは、テレビの視聴と同じ操作で他のコンテンツの視聴も可能となる。
また、コンテンツ識別子登録部１１３が、外部のＷｅｂクライアント５０２からのコンテンツ識別子設定依頼に対して、コンテンツ識別子変換テーブルの設定を更新するようにしたので、ユーザは、あらかじめ登録されたテレビ放送チャネルやＵＲＬにアクセスが限定されることなく、所望のコンテンツを視聴することができる。
実施の形態２．
実施の形態２では、放送受信機の構成は実施の形態１と同様であるがコンテンツ識別子設定部の構成が実施の形態１と異なっている。
第６図は、実施の形態２による、放送受信機２００におけるコンテンツ識別子登録部２１３の内部構成と、関連する処理部との関係を示すブロック図である。第３図と同一の符号は、同一の構成要素を表している。図に示すように、コンテンツ識別子登録部２１３は、メールクライアント２１５、コンテンツ識別子変換テーブル更新部２１６を備えている。なお、コンテンツ識別子登録部２１３と直接関連のない処理部については省略してあるが、放送受信機２００のその他の構成は実施の形態１の放送受信機１００と同様である。
メールクライアント２１５は、インターネット５００上のメールサーバ５０３を介してメールを受信するメールクライアントである。
次に、実施の形態２において、ユーザが新たなコンテンツ識別子を登録する場合の動作について説明する。
ここでは、ユーザがインターネット５００に接続されたコンピュータ、携帯電話等、メール送信機能を有するメール送信端末５０４を使用して登録を行う場合を例に取り説明する。
ユーザは、メール送信端末５０４から放送受信機２００宛てに、定型フォーマットによるコンテンツ識別子設定用メールを送信する。第７図は、実施の形態２によるコンテンツ識別子設定用メールの例を示す図である。図に示すように、宛先（ＴＯ：）には放送受信機２００のメールアドレス（ｍｙＴＶ＠ｍｙＨｏｍｅ．ｃｏｍ）、Ｓｕｂｊｅｃｔ：には「ｓｅｔ  ｃｏｎｔｅｎｔ  ＩＤ」という文言が設定されており、これにより、放送受信機２００は、コンテンツ識別子設定用メールであることを認識することができる。
コンテンツ識別子設定情報はメール本文に記述され、第７図に示す例では、チャンネル７０に「ｈｔｔｐ：／／ｗｗｗ．ｍｙＡｌｂｕｍ．ｃｏｍ／ｉｎｄｅｘ．ｈｔｍｌ」を登録するという内容になっている。
メール送信端末５０４から送信されたコンテンツ識別子設定用メールは、放送受信機２００のメールクライアント２１５に受信されるまで、メールサーバ５０３に蓄積される。
メールクライアント２１５は、定期的にメールサーバ５０３にアクセスし、新しいメールを受信し、受信したメールの中からコンテンツ識別子設定用メールを抽出する。ここでは、Ｓｕｂｊｅｃｔ欄に「ｓｅｔｃｏｎｔｅｎｔ  ＩＤ」が設定されているメールを抽出し、コンテンツ識別子変換テーブル更新部２１６に供給する。
コンテンツ識別子変換テーブル更新部２１６は、メールクライアント２１５から供給されたコンテンツ識別子設定用メールの本文を解析し、その記述内容に応じてコンテンツ識別子変換テーブルの内容を書き換える。
第７図に示すメールの場合には、チャンネル７０のコンテンツ識別子に「ｈｔｔｐ：／／ｗｗｗ．ｍｙＡｌｂｕｍ．ｃｏｍ／ｉｎｄｅｘ．ｈｔｍｌ」が登録される。
以上のように、実施の形態２によれば、コンテンツ識別子登録部２１３は、外部のメール送信端末５０４から送信されたコンテンツ識別子設定用メールに対応して、コンテンツ識別子変換テーブルの設定を更新するようにしたので、ユーザは、あらかじめ登録されたテレビ放送チャネルやＵＲＬにアクセスが限定されることなく、所望のコンテンツを視聴することができる。
実施の形態３．
第８図は、この発明の実施の形態３による放送受信機３００の構成と、放送受信機３００を用いるシステムの構成を示すブロック図である。第１図と同一の符号は、同一の構成要素を表している。
図に示すように、放送受信機３００は、電話部３１５を備えている。
電話部３１５は、ＩＰ電話あるいはテレビ電話としての機能を持つ。
放送受信機３００は、インターネット５１０を介して、テレビ電話端末５１１、電話端末５１２、およびＩＰ電話端末５１３に接続される。
テレビ電話端末５１１、電話端末５１２、およびＩＰ電話端末５１３は、放送受信機３００と電話部３１５を介して通信する。なお、インターネット５１０は、電話網であってもよい。
次に、実施の形態３による放送受信機３００の電話機能使用時の動作について説明する。
第９図は、実施の形態３による、コンテンツ識別子変換テーブルの例を示す図である。
ユーザが入力装置１０４を用いてチャンネル８０を指定した場合を例に取り説明する。ユーザインタフェース部１０５はチャンネル選択制御部１０６にチャンネル８０が指定された旨を通知する。
チャンネル選択制御部１０６は、第２図に示すコンテンツ識別子変換テーブルを参照し、通知されたチャンネル８０を対応する「電話／０３−１２３４−５６７８」というコンテンツ識別子（電話番号）に変換し、表示制御部１０７へ通知する。
表示制御部１０７は、受信した「電話／０３−１２３４−５６７８」というコンテンツ識別子からコンテンツの獲得方法を判断し、電話部３１５に対し、当該電話番号の相手先に電話をかけるように指示する。
電話部３１５は、通信インタフェース部３０９を介して相手先に電話をかける。ここでは相手先は電話端末５１２であるとする。電話端末５１２との接続が完了すると、ユーザは、電話部３１５に備えられたマイクと放送受信機３００がテレビ音声を出力するためのスピーカを用いて相手先と通話を行う。
同様に、ユーザが入力装置１０４を用いてチャンネル８１を指定した場合は、チャンネル選択制御部１０６において、「ＩＰ電話／０５０−１１１１−２２２２」というコンテンツ識別子に変換され、表示制御部１０７に通知される。
表示制御部１０７は電話部３１５に対し、相手先ＩＰ電話（ここでは、ＩＰ電話端末５１３）に接続するように指示する。電話部３１５は、インターネット５１０経由でＩＰ電話端末５１３に接続する。これにより、ユーザは、ＩＰ電話端末５１３と通話をすることができる。
また、同様にユーザが入力装置１０４を用いてチャンネル８２を指定した場合は、チャンネル選択制御部１０６において、「テレビ電話／０３−３３３３−４４４４」というコンテンツ識別子に変換され、表示制御部１０７に通知される。
表示制御部１０７は電話部３１５に対し、表示制御部１０７は電話部３１５に対し、相手先テレビ電話（ここでは、テレビ電話端末５１１）に接続するように指示する。電話部３１５は、テレビ電話端末５１１に接続し、ユーザは、電話部３１５に備えられたカメラおよびマイクを入力装置として用い、また通常テレビを視聴するときに用いる画面、スピーカを出力装置として用いることにより、テレビ電話端末５１１とのテレビ電話通話をすることができる。
以上のように、実施の形態３によれば、電話部３１５を備えたことにより、コンテンツ識別子変換テーブルに外部の電話端末やＩＰ電話端末およびテレビ電話端末を登録しておけば、テレビの視聴と同じ操作でそれらの電話端末との通話も可能となる。
また、実施の形態３においても、実施の形態１と同様に、外部のＷｅｂクライアントからのコンテンツ識別子設定依頼に対して、コンテンツ識別子登録部１１３がコンテンツ識別子変換テーブルの設定を更新することができる。また、実施の形態２と同様に、コンテンツ識別子登録部１１３にメールクライアント機能を設け、外部のメール送信端末から送信されたコンテンツ識別子設定用メールに対応して、コンテンツ識別子変換テーブルの設定を更新するようにしてもよい。
【産業上の利用可能性】  以上のように、この発明に係る受信装置は、テレビの視聴と同じ操作で他のコンテンツの視聴も可能とするのに適している。
【図１】
2005084023.tif 000002
【図２】
2005084023.tif 000003
【図３】
2005084023.tif 000004
【図４】
2005084023.tif 000005
【図５】
2005084023.tif 000006
【図６】
2005084023.tif 000007
【図７】
2005084023.tif 000008
【図８】
2005084023.tif 000009
【図９】
2005084023.tif 000010
【国際調査報告】
2005084023.tif 000011
2005084023.tif 000012